(57)【特許請求の範囲】
【請求項１】
１対１で対応する画像形成装置と画像読取装置とを具備し、前記画像読取装置で原稿を読み取って得た画像データに基づいて前記画像形成装置で画像を形成する複写処理を実行する画像形成システムにおいて、
前記画像読取装置は、
原稿を読み取って得た画像データを含むジョブを前記画像形成装置に送出するジョブ送出手段と、
前記ジョブ送出手段がジョブを送出する前に前記画像形成装置に対してジョブ発行予告を通知する予告通知手段と
を具備し、
前記画像形成装置は、
比較的高速でデータの読み書きを行う第１の記憶手段と、
比較的低速でデータの読み書きを行う第２の記憶手段と、
受信したジョブに含まれる画像データを前記第１の記憶手段と前記第２の記憶手段とのいずれかにイメージを展開する画像展開手段と、
前記画像展開手段により前記第１の記憶手段または前記第２の記憶手段に展開されたイメージに基づいて印刷処理を行う印刷処理手段と、
前記画像読取装置でジョブ発行の可能性が生じたことを検出する予告検出手段と、
通常時には前記画像展開手段に他の装置から受信したジョブに基づくイメージを前記第１の記憶手段に展開させ、前記予告検出手段がジョブ発行の可能性が生じたことを検出した際には前記画像読取装置から受け付けるジョブを割込み処理させる準備として前記画像展開手段に該割込み処理の対象となる前記画像読取装置から受け付けるジョブ以外のジョブに基づくイメージを前記第２の記憶手段に展開させ、該割込み処理の準備時に前記画像読取装置から発行されたジョブを受け付けると、割込み処理として前記画像展開手段に該受け付けたジョブのイメージを前記第１の記憶手段に展開させるとともに該展開させたイメージに基づいて前記印刷処理手段に印刷処理を行わせ、該印刷処理の後に被割込み処理させたイメージに基づいて前記印刷処理手段に印刷処理を行わせるジョブ管理手段と
を具備する
ことを特徴とする画像形成システム。
【請求項２】
前記ジョブ管理手段は、前記予告通知手段によるジョブ発行予告を受けた際に、前記第１の記憶手段にイメージが記憶されていた場合には、前記画像展開手段により前記第１の記憶手段に記憶されているイメージを前記第２の記憶手段に移動させることを特徴とする請求項１記載の画像形成システム。
【請求項３】
前記予告通知手段は、ユーザによるコピーモードへの移行指示と、自動原稿送り装置への原稿のセットと、原稿台カバーの開放との各事象が生じた際に、該事象が生じたことを前記画像形成装置に通知することを特徴とする請求項１記載の画像形成システム。
【請求項４】
前記予告通知手段は、ユーザによるコピーモードへの移行指示と、自動原稿送り装置への原稿のセットと、原稿台カバーの開放とのいずれかの事象が生じた際に、割込準備指示を前記画像形成装置に通知することを特徴とする請求項１記載の画像形成システム。
【請求項５】
前記画像読取装置は、前記画像形成装置に対して前記予告状態が解除されたことを示す非予告状態を通知する非予告通知手段をさらに具備し、
前記ジョブ管理手段は、前記非予告通知手段による非予告状態の通知に基づいて前記割込み処理の準備を解除する
ことを特徴とする請求項１記載の画像形成システム。
【請求項６】
対応する１つの画像読取装置と接続され、該画像読取装置が発行する原稿を読み取って得た画像データを含むジョブに基づいて複写処理を実行する画像形成システムを構成する画像形成装置において、
比較的高速でデータの読み書きを行う第１の記憶手段と、
比較的低速でデータの読み書きを行う第２の記憶手段と、
受信したジョブに含まれる画像データを前記第１の記憶手段と前記第２の記憶手段とのいずれかにイメージを展開する画像展開手段と、
前記画像展開手段により前記第１の記憶手段または前記第２の記憶手段に展開されたイメージに基づいて印刷処理を行う印刷処理手段と、
前記画像読取装置でジョブ発行の可能性が生じたことを検出する予告検出手段と、
通常時には前記画像展開手段に他の装置から受信したジョブに基づくイメージを前記第１の記憶手段に展開させ、前記予告検出手段がジョブ発行の可能性が生じたことを検出した際には前記画像読取装置から受け付けるジョブを割込み処理させる準備として前記画像展開手段に該割込み処理の対象となる前記画像読取装置から受け付けるジョブ以外のジョブに基づくイメージを前記第２の記憶手段に展開させ、該割込み処理の準備時に前記画像読取装置から発行されたジョブを受け付けると、割込み処理として前記画像展開手段に該受け付けたジョブのイメージを前記第１の記憶手段に展開させるとともに該展開させたイメージに基づいて前記印刷処理手段に印刷処理を行わせ、該印刷処理の後に被割込み処理させたイメージに基づいて前記印刷処理手段に印刷処理を行わせるジョブ管理手段と
を具備することを特徴とする画像形成装置。
【請求項７】
前記ジョブ管理手段は、前記割込み処理の準備を開始した際に、前記第１の記憶手段にイメージが記憶されていた場合には、前記画像展開手段により前記第１の記憶手段に記憶されているイメージを前記第２の記憶手段に移動させることを特徴とする請求項６記載の画像形成装置。
【請求項８】
前記予告検出手段は、前記画像読取装置で、ユーザによるコピーモードへの移行指示と、自動原稿送り装置への原稿のセットと、原稿台カバーの開放との各事象が生じたことを検出し、該事象のいずれかが生じたことを前記画像読取装置でジョブ発行の可能性が生じたこととして判断することを特徴とする請求項６記載の画像形成装置。
【請求項９】
前記予告検出手段は、前記画像読取装置がユーザによるコピーモードへの移行指示と自動原稿送り装置への原稿のセットと原稿台カバーの開放とのいずれかの事象が生じた際に送信する割込準備指示を受信し、該割込準備指示の受信を前記画像読取装置でジョブ発行の可能性が生じたこととして判断することを特徴とする請求項６記載の画像形成装置。
【請求項１０】
前記予告検出手段が検出したジョブ発行の可能性が生じたことが解除されたことを検出する非予告検出手段をさらに具備し、
前記ジョブ管理手段は、前記非予告検出手段がジョブ発行の可能性が生じたことが解除されたことを検出した際に前記割込み処理の準備を解除する
ことを特徴とする請求項６記載の画像形成装置。
【請求項１１】
対応する１つの画像形成装置と接続され、該画像形成装置が画像データに基づいて印刷処理を実行することで複写処理を実行する画像形成システムを構成する画像読取装置において、
原稿を読み取って得た画像データを含むジョブを前記画像形成装置に送出するジョブ送出手段と、
前記ジョブ送出手段がジョブを送出する前に前記画像形成装置に対してジョブ発行予告を通知する予告通知手段と、
前記画像形成装置に対して前記予告状態が解除されたことを示す非予告状態を通知する非予告通知手段と
を具備することを特徴とする画像読取装置。
【請求項１２】
前記予告通知手段は、ユーザによるコピーモードへの移行指示と、自動原稿送り装置への原稿のセットと、原稿台カバーの開放との各事象が生じたことを前記画像形成装置へ通知することを特徴とする請求項１１記載の画像読取装置。
【請求項１３】
前記予告通知手段は、ユーザによるコピーモードへの移行指示と、自動原稿送り装置への原稿のセットと、原稿台カバーの開放とのいずれかの事象が生じた際に、前記画像形成装置へ割込準備指示を送信することを特徴とする請求項１１記載の画像読取装置。
【発明の詳細な説明】
【技術分野】
【０００１】
本発明は、画像形成システム、画像形成装置、画像読取装置に関し、特に、画像読取装置と画像形成装置を組み合わせて構成する画像形成システムと、この画像形成システムを構成する画像形成装置、画像読取装置に関する。
【背景技術】
【０００２】
近年、スキャナ等の画像読取装置やプリンタ等の画像形成装置は、高機能化や低価格化に伴って広く普及してきている。
【０００３】
また、最近では、画像読取装置や画像形成装置をコンピュータ等の情報処理装置の周辺装置として利用するだけでなく、両者を組み合わせて仮想的な複写装置として利用するといったことも行われるようになっている。
【０００４】
画像読取装置と画像形成装置を組み合わせて利用する場合、これらの機能にもよるが、単なる複写処理はもちろんのこと、変倍処理を含む複写処理など、複写装置で実行することのできるジョブの大半を処理することが可能となる場合が多い。
【０００５】
また、利用する画像形成装置に割込み処理を行う機能が備えられている場合には、当該機能を利用して、割込みによる複写処理を行うことも可能となる。
【０００６】
割込み処理を備えた画像形成装置としては、例えば、特許文献１に記載された印刷装置がある。
【特許文献１】特開平６−６４２５１号公報
【発明の開示】
【発明が解決しようとする課題】
【０００７】
前述のように、割込み処理機能を有する画像形成装置と画像読取装置を組み合わせることによって、割込みを伴う複写処理が可能となる。しかしながら、画像形成装置が有する割込み処理は、情報処理装置から受け付けたジョブを処理することを前提としたものが多く、画像読取装置と組み合わせて利用する場合に十分な機能であるとは言い難かった。
【０００８】
そこで、本発明は、画像読取装置と画像形成装置を組み合わせて複写処理を実行する際に、適切に割込み処理を行うことができる画像形成システム、画像形成装置、画像読取装置を提供することを目的とする。
【課題を解決するための手段】
【０００９】
前述した目的を達成するため、請求項１の発明は、１対１で対応する画像形成装置と画像読取装置とを具備し、前記画像読取装置で原稿を読み取って得た画像データに基づいて前記画像形成装置で画像を形成する複写処理を実行する画像形成システムにおいて、前記画像読取装置は、原稿を読み取って得た画像データを含むジョブを前記画像形成装置に送出するジョブ送出手段と、前記ジョブ送出手段がジョブを送出する前に前記画像形成装置に対してジョブ発行予告を通知する予告通知手段とを具備し、前記画像形成装置は、比較的高速でデータの読み書きを行う第１の記憶手段と、比較的低速でデータの読み書きを行う第２の記憶手段と、受信したジョブに含まれる画像データを前記第１の記憶手段と前記第２の記憶手段とのいずれかにイメージを展開する画像展開手段と、前記画像展開手段により前記第１の記憶手段または前記第２の記憶手段に展開されたイメージに基づいて印刷処理を行う印刷処理手段と、前記画像読取装置でジョブ発行の可能性が生じたことを検出する予告検出手段と、通常時には前記画像展開手段に他の装置から受信したジョブに基づくイメージを前記第１の記憶手段に展開させ、前記予告検出手段がジョブ発行の可能性が生じたことを検出した際には前記画像読取装置から受け付けるジョブを割込み処理させる準備として前記画像展開手段に該割込み処理の対象となる前記画像読取装置から受け付けるジョブ以外のジョブに基づくイメージを前記第２の記憶手段に展開させ、該割込み処理の準備時に前記画像読取装置から発行されたジョブを受け付けると、割込み処理として前記画像展開手段に該受け付けたジョブのイメージを前記第１の記憶手段に展開させるとともに該展開させたイメージに基づいて前記印刷処理手段に印刷処理を行わせ、該印刷処理の後に被割込み処理させたイメージに基づいて前記印刷処理手段に印刷処理を行わせるジョブ管理手段とを具備することを特徴とする。
【００１０】
また、請求項２の発明は、請求項１の発明において、前記ジョブ管理手段は、前記予告通知手段によるジョブ発行予告を受けた際に、前記第１の記憶手段にイメージが記憶されていた場合には、前記画像展開手段により前記第１の記憶手段に記憶されているイメージを前記第２の記憶手段に移動させることを特徴とする。
【００１１】
また、請求項３の発明は、請求項１の発明において、前記予告通知手段は、ユーザによるコピーモードへの移行指示と、自動原稿送り装置への原稿のセットと、原稿台カバーの開放との各事象が生じた際に、該事象が生じたことを前記画像形成装置に通知することを特徴とする。
【００１２】
また、請求項４の発明は、請求項１の発明において、前記予告通知手段は、ユーザによるコピーモードへの移行指示と、自動原稿送り装置への原稿のセットと、原稿台カバーの開放とのいずれかの事象が生じた際に、割込準備指示を前記画像形成装置に通知することを特徴とする。
【００１３】
また、請求項５の発明は、請求項１の発明において、前記画像読取装置は、前記画像形成装置に対して前記予告状態が解除されたことを示す非予告状態を通知する非予告通知手段をさらに具備し、前記ジョブ管理手段は、前記非予告通知手段による非予告状態の通知に基づいて前記割込み処理の準備を解除することを特徴とする。
【００１４】
また、請求項６の発明は、対応する１つの画像読取装置と接続され、該画像読取装置が発行する原稿を読み取って得た画像データを含むジョブに基づいて複写処理を実行する画像形成システムを構成する画像形成装置において、比較的高速でデータの読み書きを行う第１の記憶手段と、比較的低速でデータの読み書きを行う第２の記憶手段と、受信したジョブに含まれる画像データを前記第１の記憶手段と前記第２の記憶手段とのいずれかにイメージを展開する画像展開手段と、前記画像展開手段により前記第１の記憶手段または前記第２の記憶手段に展開されたイメージに基づいて印刷処理を行う印刷処理手段と、前記画像読取装置でジョブ発行の可能性が生じたことを検出する予告検出手段と、通常時には前記画像展開手段に他の装置から受信したジョブに基づくイメージを前記第１の記憶手段に展開させ、前記予告検出手段がジョブ発行の可能性が生じたことを検出した際には前記画像読取装置から受け付けるジョブを割込み処理させる準備として前記画像展開手段に該割込み処理の対象となる前記画像読取装置から受け付けるジョブ以外のジョブに基づくイメージを前記第２の記憶手段に展開させ、該割込み処理の準備時に前記画像読取装置から発行されたジョブを受け付けると、割込み処理として前記画像展開手段に該受け付けたジョブのイメージを前記第１の記憶手段に展開させるとともに該展開させたイメージに基づいて前記印刷処理手段に印刷処理を行わせ、該印刷処理の後に被割込み処理させたイメージに基づいて前記印刷処理手段に印刷処理を行わせるジョブ管理手段とを具備することを特徴とする。
【００１５】
また、請求項７の発明は、請求項６の発明において、前記ジョブ管理手段は、前記割込み処理の準備を開始した際に、前記第１の記憶手段にイメージが記憶されていた場合には、前記画像展開手段により前記第１の記憶手段に記憶されているイメージを前記第２の記憶手段に移動させることを特徴とする。
【００１６】
また、請求項８の発明は、請求項６の発明において、前記予告検出手段は、前記画像読取装置で、ユーザによるコピーモードへの移行指示と、自動原稿送り装置への原稿のセットと、原稿台カバーの開放との各事象が生じたことを検出し、該事象のいずれかが生じたことを前記画像読取装置でジョブ発行の可能性が生じたこととして判断することを特徴とする。
【００１７】
また、請求項９の発明は、請求項６の発明において、前記予告検出手段は、前記画像読取装置がユーザによるコピーモードへの移行指示と自動原稿送り装置への原稿のセットと原稿台カバーの開放とのいずれかの事象が生じた際に送信する割込準備指示を受信し、該割込準備指示の受信を前記画像読取装置でジョブ発行の可能性が生じたこととして判断することを特徴とする。
【００１８】
また、請求項１０の発明は、請求項６の発明において、前記予告検出手段が検出したジョブ発行の可能性が生じたことが解除されたことを検出する非予告検出手段をさらに具備し、前記ジョブ管理手段は、前記非予告検出手段がジョブ発行の可能性が生じたことが解除されたことを検出した際に前記割込み処理の準備を解除することを特徴とする。
【００１９】
また、請求項１１の発明は、対応する１つの画像形成装置と接続され、該画像形成装置が画像データに基づいて印刷処理を実行することで複写処理を実行する画像形成システムを構成する画像読取装置において、原稿を読み取って得た画像データを含むジョブを前記画像形成装置に送出するジョブ送出手段と、前記ジョブ送出手段がジョブを送出する前に前記画像形成装置に対してジョブ発行予告を通知する予告通知手段と、前記画像形成装置に対して前記予告状態が解除されたことを示す非予告状態を通知する非予告通知手段とを具備することを特徴とする。
【００２０】
また、請求項１２の発明は、請求項１１の発明において、前記予告通知手段は、ユーザによるコピーモードへの移行指示と、自動原稿送り装置への原稿のセットと、原稿台カバーの開放との各事象が生じたことを前記画像形成装置へ通知することを特徴とする。
【００２１】
また、請求項１３の発明は、請求項１１の発明において、前記予告通知手段は、ユーザによるコピーモードへの移行指示と、自動原稿送り装置への原稿のセットと、原稿台カバーの開放とのいずれかの事象が生じた際に、前記画像形成装置へ割込準備指示を送信することを特徴とする。
【発明の効果】
【００２７】
本発明によれば、画像形成装置で、画像読取装置から発行されたジョブを割込み処理する際の効率がよくなるので、ユーザが画像形成装置の前で出力待ちをする可能性の高いコピー処理におけるユーザの操作性が向上する。
【発明を実施するための最良の形態】
【００２８】
以下、本発明に係る画像形成システム、画像形成装置、画像読取装置の一実施の形態について、添付図面を参照して詳細に説明する。
【実施例】
【００２９】
まず、本発明を適用した画像形成システムの構成について説明する。図１および図２は、画像形成システムの構成例を示した図である。
【００３０】
図１に示した構成は、画像読取装置１と画像形成装置２を、情報処理装置３（３−１〜３−ｎ）とともに、ネットワーク４に接続した構成である。なお、画像読取装置１や画像形成装置２をネットワーク４に複数接続することもできる。
【００３１】
また、図２に示した構成は、画像読取装置１’と、画像形成装置２’、情報処理装置３’をローカル接続した構成である。なお、各装置の接続順は、任意であり、各装置を複数接続することも可能である。
【００３２】
次に、画像形成システムを構成する画像読取装置と画像形成装置の構成について説明するが、ここでは、図１に示した画像読取装置１と画像形成装置２を例として説明する。図３は、画像読取装置１と画像形成装置２の機能的な構成を示すブロック図である。
【００３３】
同図に示すように、画像読取装置１は、原稿読取部１１と、原稿検知部１２、カバー開閉検知部１３、操作・表示部１４、制御部１５、通信部１６を具備して構成される。
【００３４】
原稿読取部１１は、原稿を光学的に読み取って得た光学信号を電気信号に変換し、画像データを生成する。生成された画像データは、出力先に応じたジョブとして、通信部１６に渡される。
【００３５】
原稿検知部１２は、図示しない自動原稿送り装置に原稿がセットされたことを検知する。この検知結果は、制御部１５に渡される。
【００３６】
カバー開閉検知部１３は、図示しない原稿台のカバーが開閉されたことを検知する。この検知結果は、制御部１５に渡される。
【００３７】
操作・表示部１４は、ユーザインタフェイスとして動作するもので、ユーザに対して各種情報を提供するほか、ユーザからの指示を受け付ける。画像読取装置１を画像形成システムとして利用する場合には、ユーザは、操作・表示部１４からコピーモードへの移行を指示する操作を行うこととなる。
【００３８】
制御部１５は、原稿読取部１１や操作・表示部１４を制御するとともに、原稿検知部１２による原稿セットの検知結果や、カバー開閉検知部１３によるカバー開閉の検知結果、操作・表示部１４によるコピーモードへの移行指示の受け付けがあった旨を、通信部１６を介して、画像形成装置２に通知する。
【００３９】
通信部１６は、ネットワーク４とのインタフェイスとして動作し、ネットワーク４に接続された画像形成装置２や情報処理装置３との間で、データや指示等の送受信を行う。
【００４０】
また、画像形成装置２は、通信部２１と、ジョブ管理部２２、記憶部２３、画像展開部２４、大容量記憶部２５、印刷処理部２６を具備して構成される。
【００４１】
通信部２１は、ネットワーク４とのインタフェイスとして動作し、ネットワーク４に接続された画像読取装置１や情報処理装置３との間で、データや指示等の送受信を行う。また、通信部２１は、ジョブを受信した場合には、当該ジョブに含まれる画像データを大容量記憶部２５に記憶するとともに、当該ジョブに含まれる各種の情報をジョブ管理部２２に通知する。
【００４２】
ジョブ管理部２２は、通信部２１が画像読取装置１や情報処理装置３から受信したジョブの実行順や割込み処理等の管理を行う。
【００４３】
記憶部２３は、展開された画像イメージ等を一時的に記憶するもので、比較的高速でデータの読み書きが可能な特性を有する半導体メモリ等が利用される。
【００４４】
画像展開部２４は、ジョブ管理部２２の指示に従って動作し、大容量記憶部２５に記憶されている画像データに基づいて、記憶部２３若しくは大容量記憶部２５に画像イメージを展開する。
【００４５】
大容量記憶部２５は、ジョブに含まれる画像データや展開された画像イメージ等を記憶するもので、比較的大きな記憶容量を有するＨＤＤ（Ｈａｒｄ  Ｄｉｓｋ  Ｄｒｉｖｅ）等が利用される。
【００４６】
印刷処理部２６は、記憶部２３若しくは大容量記憶部２５に展開された画像イメージに基づいて、用紙上に画像を印刷する。
【００４７】
この画像形成装置２は、ジョブ管理部２２がジョブの実行順を制御し、原則として受付順にジョブを実行するが、画像読取装置１から発行されたジョブに対しては、割込み処理を行うことにより情報処理装置３から発行されたジョブよりも優先して実行する。
【００４８】
また、ジョブ管理部２２は、画像読取装置１において、コピーモードへの移行指示があったり、自動原稿送り装置に原稿がセットされたり、原稿台のカバーが開かれたりする等の事象が生じたことを検知すると、これらを画像読取装置１がジョブを発行する予告状態であるとみなし、割込み処理の実行準備を開始する。
【００４９】
割込み処理の実行準備では、実行中のジョブがあれば、画像展開部２４による画像イメージの展開先を記憶部２３から大容量記憶部２５に変更し、記憶部２３に展開されている画像イメージを大容量記憶部２５に移動する。また、実行中のジョブがなければ、以降に実行するジョブの画像イメージの展開先を大容量記憶部２５に変更する。これらの処理により、画像読取装置１からのジョブを受信して割込み処理を開始する際には、記憶部２３が空き状態となっているため、直ちに画像イメージの展開に利用することができる。
【００５０】
続いて、画像形成装置２の動作の詳細について説明する。図４乃至６は、画像形成装置２の動作の流れを示すフローチャートである。なお、以下の説明では、情報処理装置３から受信したジョブを「ジョブＡ」と称し、画像読取装置１から受信したジョブを「ジョブＢ」と称する。また、記憶部２３を「メモリ」と称し、大容量記憶部２５を「ＨＤＤ］と称するものとする。
【００５１】
画像形成装置２は、ジョブを実行しておらず、実行待ちのジョブが存在していない状態で、ジョブ管理部２２が予告状態を検出することなく情報処理装置３からのジョブＡを受信すると（ステップ１０１でＮＯおよびステップ１０２でＹＥＳ）、ジョブ管理部２２は、画像展開部２４に対し、メモリ（記憶部２３）への画像イメージの展開を実行させる（ステップ１０３）。予告状態とは、画像読取装置１におけるコピーモードへの移行指示、自動原稿送り装置への原稿セット、原稿台のカバー開等の事象が生じたことを検知した状態である。
【００５２】
画像展開部２４が画像イメージの展開を開始すると、ジョブ管理部２２が予告状態を検出することがなければ、画像展開部２４が画像イメージを１ページ分展開する毎に、印刷処理部２６が印刷処理を実行する（ステップ１０４でＮＯ、ステップ１０５でＹＥＳ、ステップ１０６、ステップ１０７でＮＯ）。そして、画像展開部２４による画像イメージの展開と印刷処理部２６による印刷処理が、全ページ分終了すると（ステップ１０７でＹＥＳ）、画像形成装置２は、初期の状態に戻る。このジョブＡに対する画像イメージへの展開と印刷処理の時間的な関係は、図７に示すようなものとなる。
【００５３】
一方、画像展開部２４が画像イメージの展開を開始した後に、ジョブ管理部２２が予告状態を検出すると（ステップ１０４でＹＥＳ）、ジョブ管理部２２は、画像展開部２４に対し、画像イメージのメモリへの展開を中断させ（ステップ１０８）、メモリへ展開済みの画像イメージをメモリからＨＤＤ（大容量記憶部２５）へ移動させるとともに（ステップ１０９）、ＨＤＤへ画像イメージを展開させる（ステップ１１０）。画像展開部２４による展開済みの画像イメージをメモリからＨＤＤへ移動する処理と、ＨＤＤへ画像イメージを展開する処理は、並列して実行される。
【００５４】
そして、画像展開部２４が画像イメージを１ページ分展開する毎に、印刷処理部２６が印刷処理を実行する（ステップ１１１でＮＯ、ステップ１１２でＮＯ、ステップ１１３でＹＥＳ、ステップ１１４、ステップ１１５でＮＯ）。このジョブＡに対する画像イメージの展開先の変更と印刷処理の時間的な関係は、図８に示すようなものとなり、同図中では、時刻Ｐに画像イメージの展開先の変更と展開済みの画像イメージの移動が行われている。
【００５５】
また、画像展開部２４が画像イメージを展開している過程で、ジョブ管理部２２が画像読取装置２からのジョブＢを受信すると（ステップ１１１でＹＥＳ）、ジョブ管理部２２は、画像展開部２４に対し、実行中のジョブＡの画像データの画像イメージへの展開を中断させ（ステップ１１６）、ジョブＢの画像データをメモリに画像イメージとして展開させる（ステップ１１７）。そして、画像展開部２４が画像イメージを１ページ分展開する毎に、印刷処理部２６が印刷処理を実行し（ステップ１１８でＹＥＳ、ステップ１１９、ステップ１２０でＮＯ）、ジョブＢの全ページのイメージ展開が終了すると（ステップ１２０でＹＥＳ）、ジョブ管理部２２は、画像展開部２４に先に中断させたジョブＡに対する処理を再開させ、画像展開部２４は、ジョブＡの画像データをメモリに画像イメージとして展開する（ステップ１２１）。ただし、ジョブＡの画像データの展開をページの途中で中断していた場合には、当該ページが終了するまではＨＤＤに画像イメージを展開する。このジョブＡに対する処理の中断とジョブＢに対する処理の時間的な関係は、図９に示すようなものとなる。同図中においては、時刻ＱでジョブＡに対する処理を中断してジョブＢに対する処理を開始し、時刻ＲでジョブＡに対する処理を再開してＨＤＤに画像イメージを展開し、時刻Ｓから画像イメージの展開先をメモリに変更している。
【００５６】
また、画像展開部２４が画像イメージをＨＤＤ展開し（ステップ１１０）、その過程で、ジョブ管理部２２が非予告状態を検出すると（ステップ１１２でＹＥＳ）、画像展開部２４にジョブＡの画像データをメモリに画像イメージとして展開させる（ステップ１２１）。ただし、ジョブＡの画像データの展開をページの途中で中断していた場合には、当該ページが終了するまではＨＤＤに画像イメージを展開する。非予告状態とは、予告状態が解除された状態であり、画像読取装置１において、コピーモードのキャンセルや、自動原稿送り装置からの原稿の除去があった場合、原稿台のカバーが閉じられたにもかかわらず原稿台に原稿が存在していない状態である。
【００５７】
ところで、画像形成装置２がジョブを実行しておらず、実行待ちのジョブが存在していない状態で、ジョブ管理部２２が予告状態を検出した場合には（ステップ１０１でＹＥＳ若しくはステップ１１５でＹＥＳ）、その後、ジョブ管理部２２が、非予告状態を検出することなくジョブＢを受信すると（ステップ１２２でＮＯ、ステップ１２３でＹＥＳ）、ジョブ管理部２２は、画像展開部２４に対し、ジョブＢの画像データをメモリに画像イメージとして展開させる（ステップ１２４）。そして、画像展開部２４が画像イメージを１ページ分展開する毎に、印刷処理部２６が印刷処理を実行し（ステップ１２５でＹＥＳ、ステップ１２６、ステップ１２７でＮＯ）、ジョブＢの全ページのイメージ展開が終了すると（ステップ１２７でＹＥＳ）、画像形成装置２は、初期の状態に戻る。
【００５８】
一方、ジョブ管理部２２が予告状態を検出している際に、ジョブＢを受信することなくジョブＡを受信すると（ステップ１２２でＮＯ、ステップ１２３でＮＯ、ステップ１２８でＹＥＳ）、ジョブ管理部２２は、画像展開部２４に対し、ジョブＡの画像データをＨＤＤに画像イメージとして展開させる（ステップ１２９）。そして、画像展開部２４が画像イメージを１ページ分展開する毎に、印刷処理部２６が印刷処理を実行する（ステップ１３０でＮＯ、ステップ１３１でＹＥＳ、ステップ１３２、ステップ１３３でＮＯ）。
【００５９】
また、画像展開部２４が画像イメージを展開している過程で、ジョブ管理部２２が画像読取装置２からのジョブＢを受信すると（ステップ１３０でＹＥＳ）、画像形成装置２は、前述したステップ１１６以降の処理を実行する。
【００６０】
画像形成装置２は、前述のような動作をおこなうことで、画像読取装置１から発行されたジョブを割込み処理する際には、通常、画像イメージの展開先としている記憶部２３（メモリ）から画像イメージを待避することなく、直ちに記憶部２３を利用することができるため、効率よく割込み処理を行うことができる。
【００６１】
なお、前述の説明では、画像形成装置２のジョブ管理部２２が、画像読取装置１において、コピーモードへの移行操作や、原稿がセットされたことの検知、原稿台カバーが開かれたことの検知があったことを検出し、割込み処理の予告状態での処理を行うものとしたが、コピーモードへの移行操作や、原稿がセットされたことの検知、原稿台カバーが開かれたことの検知の際に、画像読取装置１が、制御部１５で割込み処理の予告指示を生成して画像形成装置２へ送信し、画像形成装置２のジョブ管理部２２が当該指示に基づいて割込み処理の予告状態での処理を行うように構成することも可能である。この場合の動作も、基本的に前述の動作と同様であるため、詳細な説明は省略する。
【図面の簡単な説明】
【００６２】
【図１】画像形成システムの構成例を示した図である。
【図２】画像形成システムの構成例を示した図である。
【図３】画像読取装置１と画像形成装置２の機能的な構成を示すブロック図である。
【図４】画像形成装置２の動作の流れを示すフローチャートである。
【図５】画像形成装置２の動作の流れを示すフローチャートである。
【図６】画像形成装置２の動作の流れを示すフローチャートである。
【図７】ジョブＡに対する画像イメージへの展開と印刷処理の時間的な関係を示した図である。
【図８】ジョブＡに対する画像イメージの展開先の変更と印刷処理の時間的な関係を示した図である。
【図９】ジョブＡに対する処理の中断とジョブＢに対する処理の時間的な関係を示した図である。
【符号の説明】
【００６３】
１、１’    画像読取装置
２、２’    画像形成装置
３、３−１〜３−ｎ、３’    情報処理装置
４    ネットワーク
１１    原稿読取部
１２    原稿検知部
１３    カバー開閉検知部
１４    操作・表示部
１５    制御部
１６    通信部
２１    通信部
２２    ジョブ管理部
２３    記憶部（メモリ）
２４    画像展開部
２５    大容量記憶部（ＨＤＤ）
２６    印刷処理部
【図１】
0004760235.tif 000002
【図２】
0004760235.tif 000003
【図３】
0004760235.tif 000004
【図４】
0004760235.tif 000005
【図５】
0004760235.tif 000006
【図６】
0004760235.tif 000007
【図７】
0004760235.tif 000008
【図８】
0004760235.tif 000009
【図９】
0004760235.tif 000010